(57)【特許請求の範囲】
【請求項１】
電動送風機と、
前記電動送風機により送出される気流を吹き出すブローノズルと、
前記ブローノズルに対して上流側にある風路を形成する管体と、
を備え、
前記ブローノズルは、気流を吹き出す吹出口を有する吹出部と、前記吹出部に対して上流側にある筒状部とを備え、
前記吹出口の中心は、前記筒状部の風路の中心軸の延長線に対してずれた位置にあり、
前記管体は、風路が曲がった曲がり部を備え、
前記吹出口の前記中心は、前記延長線に対して、前記曲がり部の曲がりの外側へずれた位置にある電気掃除機。
【請求項２】
電動送風機と、
前記電動送風機により送出される気流を吹き出すブローノズルと、
前記電動送風機を内蔵し、吸込口及び排気口を有する掃除機本体と、
ホース本体と、前記ホース本体の一端側にある連結部とを有するホースと、
を備え、
前記ブローノズルは、気流を吹き出す吹出口を有する吹出部と、前記吹出部に対して上流側にある筒状部とを備え、
前記吹出口の中心は、前記筒状部の風路の中心軸の延長線に対してずれた位置にあり、
前記連結部は、前記吸込口と前記排気口とのいずれにも接続可能であり、
前記ブローノズルは、前記ホースを介して前記排気口に接続可能である電気掃除機。
【請求項３】
電動送風機と、
前記電動送風機により送出される気流を吹き出すブローノズルと、
を備え、
前記ブローノズルは、気流を吹き出す吹出口を有する吹出部と、前記吹出部に対して上流側にある筒状部とを備え、
前記吹出口の中心は、前記筒状部の風路の中心軸の延長線に対してずれた位置にあり、
前記吹出口は、前記吹出口に接する仮想平面と前記吹出口との間に隙間が生じる形状を有する電気掃除機。
【請求項４】
前記吹出口は、前記延長線と交わらない位置にある請求項１から請求項３のいずれか一項に記載の電気掃除機。
【請求項５】
前記ブローノズルは、気流が通る風路と、前記風路に配置され、気流の向きを変化させる整流体とを備える請求項１から請求項４のいずれか一項に記載の電気掃除機。
【請求項６】
前記吹出口は、細長い形状を有する請求項１から請求項５のいずれか一項に記載の電気掃除機。
【発明の詳細な説明】
【技術分野】
【０００１】
本発明は、電気掃除機に関する。
【背景技術】
【０００２】
電動送風機により生み出された気流を排気する排気口にホースを接続し、そのホースを通って排気される気流をブロー風として吹き出し、塵埃を吹き飛ばす用途に使用できる電気掃除機が知られている（例えば、特許文献１参照）。
【先行技術文献】
【特許文献】
【０００３】
【特許文献１】特許第５６３６７４３号公報
【発明の概要】
【発明が解決しようとする課題】
【０００４】
従来の電気掃除機では、ブロー風によって塵埃を吹き飛ばす用途に使用する場合に、風路の縮小や拡大などにより風路内部の気流が大きく乱れ、ブロー風を必ずしも効率良く吹き出すことができない場合がある。
【０００５】
本発明は、上述のような課題を解決するためになされたもので、ブロー風を効率良く吹き出すことのできる電気掃除機を提供することを目的とする。
【課題を解決するための手段】
【０００６】
本発明に係る電気掃除機は、電動送風機と、電動送風機により送出される気流を吹き出すブローノズルと、ブローノズルに対して上流側にある風路を形成する管体と、を備え、ブローノズルは、気流を吹き出す吹出口を有する吹出部と、吹出部に対して上流側にある筒状部とを備え、吹出口の中心は、筒状部の風路の中心軸の延長線に対してずれた位置にあり、管体は、風路が曲がった曲がり部を備え、吹出口の中心は、延長線に対して、曲がり部の曲がりの外側へずれた位置にあるものである。
また、本発明に係る電気掃除機は、電動送風機と、電動送風機により送出される気流を吹き出すブローノズルと、電動送風機を内蔵し、吸込口及び排気口を有する掃除機本体と、ホース本体と、ホース本体の一端側にある連結部とを有するホースと、を備え、ブローノズルは、気流を吹き出す吹出口を有する吹出部と、吹出部に対して上流側にある筒状部とを備え、吹出口の中心は、筒状部の風路の中心軸の延長線に対してずれた位置にあり、連結部は、吸込口と排気口とのいずれにも接続可能であり、ブローノズルは、ホースを介して排気口に接続可能であるものである。
また、本発明に係る電気掃除機は、電動送風機と、電動送風機により送出される気流を吹き出すブローノズルと、を備え、ブローノズルは、気流を吹き出す吹出口を有する吹出部と、吹出部に対して上流側にある筒状部とを備え、吹出口の中心は、筒状部の風路の中心軸の延長線に対してずれた位置にあり、吹出口は、吹出口に接する仮想平面と吹出口との間に隙間が生じる形状を有するものである。
【発明の効果】
【０００７】
本発明の電気掃除機によれば、ブローノズルの吹出口の中心が、筒状部の風路の中心軸の延長線に対してずれた位置にあることで、ブロー風を効率良く吹き出すことが可能となる。
【図面の簡単な説明】
【０００８】
【図１】実施の形態１の電気掃除機を示す斜視図である。
【図２】実施の形態１の電気掃除機が備える掃除機本体を斜め後ろから見た斜視図である。
【図３】実施の形態１の電気掃除機が備える掃除機本体を斜め後ろから見た斜視図である。
【図４】実施の形態１の電気掃除機が備えるホースの一部、手元ハンドル体、及びブローノズルの斜視図である。
【図５】実施の形態１の電気掃除機が備えるホースの一部、手元ハンドル体、延長管及びブローノズルの斜視図である。
【図６】実施の形態１の電気掃除機が備えるブローノズルを上面側から見た斜視図である。
【図７】実施の形態１の電気掃除機が備えるブローノズルを下面側から見た斜視図である。
【図８】実施の形態１の電気掃除機が備えるブローノズルの平面図である。
【図９】実施の形態１の電気掃除機が備えるブローノズルの前面図である。
【図１０】図９中のＡ−Ａ線の位置で切断した断面図である。
【図１１】実施の形態１の電気掃除機が備えるブローノズルを手元ハンドル体に取り付けた状態を示す側面図である。
【図１２】実施の形態１の電気掃除機が備えるブローノズルを手元ハンドル体に取り付けた状態を示す断面側面図である。
【発明を実施するための形態】
【０００９】
以下、図面を参照して実施の形態について説明する。各図において共通する要素には、同一の符号を付して、重複する説明を簡略化または省略する。
【００１０】
実施の形態１．
図１は、実施の形態１の電気掃除機１を示す斜視図である。図１は、電気掃除機１が、床面上の塵挨を吸引する用途に使用する際の形態になっている状態を示す。電気掃除機１は、掃除機本体２、ホース３、手元ハンドル体４、延長管５、及び床面吸込み具６を備える。床面吸込み具６は、下向きに形成された開口から、床面上の塵埃などのごみを空気と一緒に内部に取り込む部位である。床面吸込み具６の排気側の端部には、延長管５と接続する継手部７０が設けられている。
【００１１】
延長管５は、全体として真直ぐな円筒状を呈する。延長管５の先端部は、床面吸込み具６の継手部７０に接続する。延長管５の基端部は、手元ハンドル体４に接続する。延長管５の吸込み側すなわち先端側に設けられた解除ボタン５ａをユーザーが操作すると、床面吸込み具６を延長管５から取り外すことができる。延長管５の排気側すなわち基端側に設けられた伸縮ボタン５ｂをユーザーが操作すると、延長管５を伸縮させることができる。
【００１２】
手元ハンドル体４は、管体４ａ及びハンドル４ｂを備える。管体４ａの吸気側の端部すなわち先端部は、延長管５の排気側端部すなわち基端部に接続する。ハンドル４ｂは、アーチ状の外形を有する。手元ハンドル体４は、掃除するときにユーザーが持つ部位である。手元ハンドル体４は、掃除するときにユーザーが操作する操作体となる部位である。ユーザーは、塵挨を吸引する際には、手元ハンドル体４のハンドル４ｂを手で持ち、手元ハンドル体４を操作して、床面吸込み具６を床面上にある塵埃に近づけて吸引する。手元ハンドル体４に設けられた解除ボタン４ｃをユーザーが操作すると、延長管５を手元ハンドル体４から取り外すことができる。
【００１３】
ホース３は、連結部３ａ及びホース本体３ｂを備える。ホース本体３ｂは、可撓性を有する蛇腹状の中空の長尺部材である。ホース本体３ｂの一端側すなわち基端側の端部に、硬質の連結部３ａが設けられている。連結部３ａは、掃除機本体２に対して着脱可能に接続される。ホース本体３ｂの他端側すなわち先端側の端部は、手元ハンドル体４の管体４ａの排気側の端部すなわち基端部に接続される。
【００１４】
掃除機本体２は、吸込口２ａ、集塵部２ｂ、排気口２ｃ、及び電動送風機２ｄを備える。吸込口２ａは、床面吸込み具６から吸込まれた塵挨を含む空気すなわち含塵空気が掃除機本体２の内部に入る開口である。図１の状態では、ホース３の連結部３ａは、吸込口２ａに接続されている。ホース３の連結部３ａは、吸込口２ａ対して着脱可能である。吸込口２ａは、掃除機本体２の前部に開口する。排気口２ｃは、掃除機本体２の後部に開口する。集塵部２ｂ及び電動送風機２ｄは、掃除機本体２に内蔵されている。
【００１５】
図１のように各部が接続されることで、床面吸込み具６から、延長管５、手元ハンドル体４、ホース３、集塵部２ｂ、及び電動送風機２ｄを経由して排気口２ｃへと至る一続きの風路Ｆ１が形成される。風路Ｆ１は、塵挨を集塵部２ｂに捕集する場合の風路である。電動送風機２ｄは、風路Ｆ１に、吸込み側である床面吸込み具６から、排気口２ｃに向かって流れる気流を発生させる。電動送風機２ｄが吸引動作を行うことにより、床面上のごみが空気と一緒に床面吸込み具６に吸い込まれる。床面吸込み具６に吸い込まれた含塵空気は、床面吸込み具６、延長管５、手元ハンドル体４の管体４ａ、及びホース３の各々の内部を通り、掃除機本体２に送られる。集塵部２ｂでは、空気と塵埃を分離して塵挨を保持する。排気口２ｃは、塵埃が取り除かれた空気すなわち清浄空気を掃除機本体２の外部へ排出する。空気から分離されたごみは、集塵部２ｂの内部に溜められる。集塵部２ｂは、例えば、サイクロン式のものでも、紙パック式のものでもよい。
【００１６】
掃除機本体２は、大型の車輪２ｅ及び小型の車輪２ｆを備える。大型の車輪２ｅは、掃除機本体２の左側面及び右側面にそれぞれ設けられている。小型の車輪２ｆは、掃除機本体２の下面に設けられており、その向きを自在に変えることができるように取り付けられている。掃除機本体２は、大型の車輪２ｅ及び小型の車輪２ｆが床面に接触した状態で向きを変えることができる。
【００１７】
上述したように、塵挨を吸引して捕集するバキュームクリーナーとして電気掃除機１を用いることができる。電気掃除機１は、吹き出す気流で塵埃を飛ばす用途にも使用できる。すなわち、電気掃除機１は、ブロアーとしても用いることができる。電気掃除機１をブロアーとして用いるときには、ホース３の連結部３ａを、掃除機本体２の吸込口２ａから取り外して、排気口２ｃに接続する。
【００１８】
図２及び図３は、実施の形態１の電気掃除機１が備える掃除機本体２を斜め後ろから見た斜視図である。図２に示すように、排気口２ｃは、掃除機本体２の後面に位置する。ホース３の連結部３ａは、排気口２ｃに対して着脱可能である。排気口２ｃとホース３とが連通するように、ホース３の連結部３ａを排気口２ｃに接続することができる。
【００１９】
排気口２ｃは、掃除機本体２の前後方向に延びる柱状の内部空間を有する。排気口２ｃの内部空間の形状は、ホース３の連結部３ａが接続可能な形状に構成されている。掃除機本体２は、ホース３の連結部３ａが排気口２ｃに接続されていないときに排気口２ｃを覆うことのできる格子（図示省略）を備えてもよい。
【００２０】
図３は、ホース３の連結部３ａが排気口２ｃに接続された状態を示す。この状態では、ホース３の内部と排気口２ｃとは一連の空間を成し、排気口２ｃから排出される気流である排気が、ホース３の内部に流入する。
【００２１】
図４は、実施の形態１の電気掃除機１が備えるホース３の一部、手元ハンドル体４、及びブローノズル１０の斜視図である。図５は、実施の形態１の電気掃除機１が備えるホース３の一部、手元ハンドル体４、延長管５及びブローノズル１０の斜視図である。図４及び図５は、電気掃除機１をブロアーとして用いるときの形態を示す。
【００２２】
ブローノズル１０は、電動送風機２ｄにより送出される排気の気流を外部空間へ吹き出す。ブローノズル１０は、ブロアー用のアタッチメントである。図４に示す形態では、ブローノズル１０は、手元ハンドル体４の管体４ａの先端部に接続されている。この形態では、ブローノズル１０は、手元ハンドル体４の管体４ａ及びホース３を介して、掃除機本体２の排気口２ｃに接続される。ブローノズル１０は、手元ハンドル体４の管体４ａの先端部に対して着脱可能である。
【００２３】
図５に示す形態では、ブローノズル１０は、延長管５の先端部に接続されている。この形態では、ブローノズル１０は、延長管５、手元ハンドル体４の管体４ａ及びホース３を介して、掃除機本体２の排気口２ｃに接続される。ブローノズル１０は、延長管５の先端部に対して着脱可能である。
【００２４】
本実施の形態であれば、電気掃除機１をブロアーとして使用するときに、ブローノズル１０を用いることで、電動送風機２ｄにより送出される排気の気流を、ブロアーの用途に適した気流として吹き出すことが可能となる。以下の説明では、電動送風機２ｄにより送出されてブローノズル１０から吹き出される気流を「ブロー風」と称する。
【００２５】
図６は、実施の形態１の電気掃除機１が備えるブローノズル１０を上面側から見た斜視図である。図７は、実施の形態１の電気掃除機１が備えるブローノズル１０を下面側から見た斜視図である。図８は、実施の形態１の電気掃除機１が備えるブローノズル１０の平面図である。
【００２６】
これらの図に示すように、ブローノズル１０は、吹出部１０ｂ及び筒状部１０ｃを備える。吹出部１０ｂは、ブロー風を吹き出す吹出口１０ａを有する。吹出口１０ａは、ブローノズル１０の前端の開口である。筒状部１０ｃは、吹出部１０ｂの上流側にある。筒状部１０ｃは、筒状の形状を有する。筒状部１０ｃは、後開口１０ｄを有する。後開口１０ｄは、ブローノズル１０の後端の開口である。後開口１０ｄから吹出口１０ａに至るブローノズル１０の内部空間は、ブロー風の風路となる。
【００２７】
ブローノズル１０が手元ハンドル体４の管体４ａの先端部に接続されたときには、筒状部１０ｃは、管体４ａの内側に挿入した状態になる。ブローノズル１０が延長管５の先端部に接続されたときには、筒状部１０ｃは、延長管５の内側に挿入した状態になる。
【００２８】
ブローノズル１０は、リブ１０ｅを備える。リブ１０ｅは、吹出部１０ｂと筒状部１０ｃとの境界部の外周を囲む環状の突起である。
【００２９】
図６及び図８に示すように、筒状部１０ｃは、ガイド１０ｆ及び係合凹部１０ｇを備える。ガイド１０ｆ及び係合凹部１０ｇは、筒状部１０ｃの外面にある。ガイド１０ｆは、筒状部１０ｃの軸方向に沿って延びる凸部である。
【００３０】
吹出部１０ｂは、ブロー風が吹き出る吹出口１０ａまでの風路を形成する部分である。吹出部１０ｂの形状は、吹出口１０ａから吹き出るブロー風の分布、及び、ブローノズル１０の内部を通過する空気の圧力損失に影響を及ぼす。
【００３１】
図６及び図７に示すように、本実施の形態における吹出口１０ａは、細長い形状を有する。吹出部１０ｂの形状は、少なくとも前側の部分が、扁平形状を呈する。扁平形状を呈する吹出部１０ｂの厚さ方向の寸法は、筒状部１０ｃの外径寸法より小さい。吹出口１０ａの長手方向の寸法、すなわち吹出口１０ａの幅は、筒状部１０ｃの外径寸法より大きい。吹出口１０ａが細長い形状を有することで、ブロアーの用途に適したブロー風を吹き出すことが可能となる。
【００３２】
図８は、扁平形状を呈する吹出部１０ｂの厚さ方向から見た図に相当する。図８は、吹出口１０ａの長手方向に対して垂直な方向から見た図に相当する。図８に示すように、吹出部１０ｂの少なくとも一部において、吹出部１０ｂの幅は、リブ１０ｅから吹出口１０ａに向かって、連続的に拡大する。吹出部１０ｂの幅とは、吹出口１０ａの長手方向に平行な方向の寸法である。
【００３３】
ブローノズル１０は、例えば、以下のように用いられる。手元ハンドル体４の管体４ａの先端開口４ｄにブローノズル１０の筒状部１０ｃを挿入することで、ブローノズル１０を手元ハンドル体４の管体４ａに装着できる。または、手元ハンドル体４に延長管５が取り付けられている場合においては、延長管５の先端開口５ｄにブローノズル１０の筒状部１０ｃを挿入することで、ブローノズル１０を延長管５に装着できる。このとき、ブローノズル１０のガイド１０ｆが、管体４ａの先端開口４ｄの内部または延長管５の先端開口５ｄの内部に設けられたガイド受け（図示せず）に案内されることで、ブローノズル１０が適正な取り付け位置に導かれる。
【００３４】
リブ１０ｅが管体４ａの先端開口４ｄの開口縁または延長管５の先端開口５ｄの開口縁に突き当たることで、筒状部１０ｃの適正な挿入深さの位置で位置決めされる。この状態で、管体４ａまたは延長管５に設けられた係合爪（図示せず）がブローノズル１０の係合凹部１０ｇに入り込むことで、ブローノズル１０の抜けが防止される。なお、手元ハンドル体４に設けられた解除ボタン４ｃ、または、延長管５に設けられた解除ボタン５ａを操作することにより、上記係合爪と係合凹部１０ｇとの係合を解除して、ブローノズル１０を取り外すことが可能である。
【００３５】
上記のようにして、排気口２ｃにホース３の連結部３ａが接続して、ブローノズル１０が管体４ａまたは延長管５に接続した状態で電動送風機２ｄを動作させることで、ブローノズル１０からブロー風が吹き出される。
【００３６】
図９は、実施の形態１の電気掃除機１が備えるブローノズル１０の前面図である。図１０は、図９中のＡ−Ａ線の位置で切断した断面図である。図１０は、実施の形態１の電気掃除機１が備えるブローノズル１０の断面側面図に相当する。図１１は、実施の形態１の電気掃除機１が備えるブローノズル１０を手元ハンドル体４に取り付けた状態を示す側面図である。図１２は、実施の形態１の電気掃除機１が備えるブローノズル１０を手元ハンドル体４に取り付けた状態を示す断面側面図である。図１１及び図１２では、ホース３の図示を省略している。
【００３７】
図１０に示すように、ブローノズル１０の吹出口１０ａの中心１０ｈは、筒状部１０ｃの内部の風路の中心軸１０ｉの延長線１０ｊに対して、ずれた位置にある。中心軸１０ｉは、筒状部１０ｃの内部の風路すなわち筒状部１０ｃの内部空間を筒状部１０ｃの軸方向に対して垂直な平面で切断した図形の図心を通る直線でもよい。中心軸１０ｉは、筒状部１０ｃの後開口１０ｄの内部空間を筒状部１０ｃの軸方向から見た図形の図心を通る直線でもよい。
【００３８】
図１２に示すように、手元ハンドル体４の管体４ａは、ブローノズル１０に対して上流側にある風路を形成する。管体４ａは、風路が曲がった曲がり部４ｅを備える。ブロー風は、曲がり部４ｅを通過すると、曲がり部４ｅの曲がりの外側へ偏る。その結果、曲がり部４ｅの下流側の風路では、曲がり部４ｅの曲がりの外側に相当する領域である第一領域４ｆの流速が、曲がり部４ｅの曲がりの内側に相当する領域である第二領域４ｇの流速に比べて、高くなる。
【００３９】
ブローノズル１０の筒状部１０ｃの内部の風路においても、上記と同様の流速分布が生じる。すなわち、図１０に示すように、管体４ａの曲がり部４ｅの曲がりの外側に相当する領域である第一領域１０ｋの流速が、曲がり部４ｅの曲がりの内側に相当する領域である第二領域１０ｍの流速に比べて、高くなる。
【００４０】
吹出口１０ａの中心１０ｈは、筒状部１０ｃの内部の風路の中心軸１０ｉの延長線１０ｊに対して、曲がり部４ｅの曲がりの外側へずれた位置にある。換言すれば、吹出口１０ａの中心１０ｈは、延長線１０ｊに対して、第一領域１０ｋの方へずれた位置にある。本実施の形態であれば、以下の効果が得られる。流速の高い第一領域１０ｋのブロー風を減速させることなく効率良く吹出口１０ａに導くことができる。それゆえ、吹出口１０ａからブロー風を効率良く吹き出すことが可能となる。
【００４１】
本実施の形態では、吹出口１０ａは、延長線１０ｊと交わらない位置にある。すなわち、吹出口１０ａの全体が、延長線１０ｊと交わらないようにずれた位置にある。これにより、本実施の形態であれば、以下の効果が得られる。流速の高い第一領域１０ｋのブロー風をより効率良く吹出口１０ａに導くことができる。それゆえ、吹出口１０ａからブロー風をより効率良く吹き出すことが可能となる。
【００４２】
図９及び図１０に示すように、本実施の形態のブローノズル１０は、風路に配置された整流体１０ｎを備える。整流体１０ｎは、ブローノズル１０の内部の風路を通るブロー風の向きを変化させる。整流体１０ｎは、吹出部１０ｂの内部の風路に配置されている。整流体１０ｎは、吹出部１０ｂの幅方向の中央に位置する。整流体１０ｎは、吹出部１０ｂの幅が拡大する途中の位置に配置されている。本実施の形態であれば、整流体１０ｎを備えたことで、以下の効果が得られる。ブロー風の向きを変化させ、幅の広い吹出口１０ａに偏りなくブロー風を分配させることができる。
【００４３】
図１２に示すように、本実施の形態では、ブローノズル１０の平面視において、吹出口１０ａの縁部は、円弧形状を呈する。このため、吹出口１０ａに接する仮想平面１０ｐと、吹出口１０ａとの間には、隙間が生じる。これにより、以下の効果が得られる。仮に吹出口１０ａを例えば床面のような平面に付き当てた場合でも、吹出口１０ａが完全に閉塞されることがないので、ブロー風が流れることができる。このため、掃除機本体２の過熱などを確実に防止できる。吹出口１０ａの形状は、上記の例に限定されない。仮想平面１０ｐと吹出口１０ａとの間に隙間が生じるような形状であれば、他の形状であっても、上記と類似の効果が得られる。例えば、吹出口１０ａの縁部の形状は、上記の円弧形状のような凸形状に代えて、凹形状でもよい。
【００４４】
本実施の形態では、ブローノズル１０が手元ハンドル体４及び延長管５の各々に着脱可能な例について説明した。本発明は、このような例に限定されない。ブローノズル１０が手元ハンドル体４または延長管５に一体化していてもよい。
【符号の説明】
【００４５】
１  電気掃除機、  ２  掃除機本体、  ２ａ  吸込口、  ２ｂ  集塵部、  ２ｃ  排気口、  ２ｄ  電動送風機、  ２ｅ，２ｆ  車輪、  ３  ホース、  ３ａ  連結部、  ３ｂ  ホース本体、  ４  手元ハンドル体、  ４ａ  管体、  ４ｂ  ハンドル、  ４ｃ  解除ボタン、  ４ｄ  先端開口、  ４ｅ  曲がり部、  ４ｆ  第一領域、  ４ｇ  第二領域、  ５  延長管、  ５ａ  解除ボタン、  ５ｂ  伸縮ボタン、  ５ｄ  先端開口、  ６  床面吸込み具、  １０  ブローノズル、  １０ａ  吹出口、  １０ｂ  吹出部、  １０ｃ  筒状部、  １０ｄ  後開口、  １０ｅ  リブ、  １０ｆ  ガイド、  １０ｇ  係合凹部、  １０ｈ  中心、  １０ｉ  中心軸、  １０ｊ  延長線、  １０ｋ  第一領域、  １０ｍ  第二領域、  １０ｎ  整流体、  １０ｐ  仮想平面、  ７０  継手部
【図１】
0006707976.tif 000002
【図２】
0006707976.tif 000003
【図３】
0006707976.tif 000004
【図４】
0006707976.tif 000005
【図５】
0006707976.tif 000006
【図６】
0006707976.tif 000007
【図７】
0006707976.tif 000008
【図８】
0006707976.tif 000009
【図９】
0006707976.tif 000010
【図１０】
0006707976.tif 000011
【図１１】
0006707976.tif 000012
【図１２】
0006707976.tif 000013